(57)【要約】【課題】本発明は、充放電時間を独立して調整することができる遅延回路及びそれを備える電子デバイスを提供する。【解決手段】本発明に係る遅延回路は、第一電圧を出力する第一調整ユニットと、第一電圧に基づいて電気エネルギーを蓄積し、且つ第一所定時間を経過した後に負荷を動作させる第一信号を出力する遅延ユニットと、スイッチユニットと、第二調整ユニットと、を備える。スイッチユニットがオンになる場合、第一調整ユニットは、遅延ユニットに第一電圧を出力し、スイッチユニットがオフになる場合、第一調整ユニットは、遅延ユニットに第一電圧の出力を停止し、遅延ユニットは、第二調整ユニットによって電気エネルギーを放出し、且つ第二所定時間を経過した後に負荷を停止する第二信号を出力し、第一調整ユニット及び第二調整ユニットは、第一所定時間及び第二所定時間をそれぞれ調整し、第二所定時間は、第一所定時間の調整によって変化しない。【選択図】図１
2013247679.tif 000002
【特許請求の範囲】
【請求項１】
電源装置と負荷との間に接続される遅延回路において、
前記電源装置の出力電圧を第一電圧に転換する第一調整ユニットと、
前記第一調整ユニットからの第一電圧を受信し、第一電圧に基づいて電気エネルギーを蓄積し、且つ第一所定時間を経過した後に第一信号を出力して負荷を動作させる遅延ユニットと、
前記第一調整ユニットと前記遅延ユニットとの間に接続されるスイッチユニットと、
第二調整ユニットと、を備え、
前記スイッチユニットは、電源装置が電圧を出力する場合、前記第一調整ユニットと前記遅延ユニットとの接続をオンにし、前記第一調整ユニットは、前記スイッチユニットを介して前記遅延ユニット及び前記第二調整ユニットに第一電圧を出力し、前記スイッチユニットは、電源装置が電圧の出力を停止する場合、前記第一調整ユニットと前記遅延ユニットとの接続をオフにし、前記第一調整ユニットは、前記遅延ユニットに第一電圧を出力することを停止し、前記遅延ユニットは、前記第二調整ユニットによって電気エネルギーを放出し、且つ第二所定時間を経過した後に第二信号を出力して前記負荷を停止し、前記第一調整ユニットは、第一所定時間を調整するために用いられ、第二調整ユニットは、第二所定時間を調整するために用いられ、前記第二所定時間は、第一所定時間の調整によって変化しないことを特徴とする遅延回路。
【請求項２】
前記第一調整ユニットは、第一抵抗及び第二抵抗を備え、この第一抵抗及び第二抵抗は、電源装置とアースとの間に直列接続され、第一抵抗及び第二抵抗の抵抗値は調整可能であり、前記スイッチユニットは、ダイオードを備え、ダイオードのアノードは、第一抵抗と第二抵抗との間に接続され、ダイオードのカソードは、遅延ユニット、第二調整ユニット及び負荷に接続され、前記第二調整ユニットは、第三抵抗を備え、第三抵抗の一端は、ダイオードのカソードに接続され、第三抵抗の他端は、接地され、第三抵抗の抵抗値は、調整可能であることを特徴とする請求項２に記載の遅延回路。
【請求項３】
電源装置、負荷及び電源装置と負荷との間に接続される遅延回路を備える電子デバイスにおいて、
前記電源装置は、電子デバイスがオン状態にある時に前記遅延回路に電圧を提供し、且つ、電子デバイスがオフ状態にある時に前記遅延回路に電圧を提供することを停止するために用いられ、
前記遅延回路は、
電子デバイスがオン状態にある時に、前記電源装置からの出力電圧を第一電圧に転換する第一調整ユニットと、
前記第一調整ユニットからの第一電圧を受信し、第一電圧に基づいて電気エネルギーを蓄積し、且つ第一所定時間を経過した後に第一信号を出力する遅延ユニットと、
前記第一調整ユニットと前記遅延ユニットとの間に接続されるスイッチユニットと、
第二調整ユニットと、を備え、
電子デバイスがオン状態にある場合、前記スイッチユニットはオンになり、前記第一調整ユニットは、前記スイッチユニットを介して前記遅延ユニット及び前記第二調整ユニットに第一電圧を出力し、電子デバイスがオフ状態にある場合、前記スイッチユニットはオフになり、前記第一調整ユニットは、前記遅延ユニットに第一電圧を出力することを停止し、前記遅延ユニットは、前記第二調整ユニットによって電気エネルギーを放出し、且つ第二所定時間を経過した後に第二信号を出力し、前記負荷は、第一信号に応じて動作し、且つ第二信号に応じて動作することを停止し、前記第一調整ユニットは、第一所定時間を調整するために用いられ、第二調整ユニットは、第二所定時間を調整するために用いられ、前記第二所定時間は、第一所定時間の調整によって変化しないことを特徴とする電子デバイス。
【発明の詳細な説明】
【技術分野】
【０００１】
本発明は、遅延回路及びそれを備える電子デバイスに関するものである。
【背景技術】
【０００２】
従来の電子デバイスにおける遅延回路の遅延時間は、抵抗及びコンデンサに関連する。一般的には、抵抗の抵抗値及びコンデンサの静電容量を調整することによって、遅延回路の充放電時間を変更することができる。しかし、放電時間に影響を与えずに充電時間を変更すること、或いは充電時間に影響を与えずに放電時間を変更することは困難である。
【発明の概要】
【発明が解決しようとする課題】
【０００３】
前記課題を解決するために、本発明は、充電時間及び放電時間を互いに独立して調整することができる遅延回路及びそれを備える電子デバイスを提供する。
【課題を解決するための手段】
【０００４】
本発明に係る遅延回路は、電源装置と負荷との間に接続され、前記電源装置の出力電圧を第一電圧に転換する第一調整ユニットと、前記第一調整ユニットからの第一電圧を受信し、第一電圧に基づいて電気エネルギーを蓄積し且つ第一所定時間を経過した後に第一信号を出力して負荷を動作させる遅延ユニットと、前記第一調整ユニットと前記遅延ユニットとの間に接続されるスイッチユニットと、第二調整ユニットと、を備える。前記スイッチユニットは、電源装置が電圧を出力する場合、前記第一調整ユニットと前記遅延ユニットとの接続をオンにし、前記第一調整ユニットは、前記スイッチユニットを介して前記遅延ユニット及び前記第二調整ユニットに第一電圧を出力し、前記スイッチユニットは、電源装置が電圧の出力を停止する場合、前記第一調整ユニットと前記遅延ユニットとの接続をオフにし、前記第一調整ユニットは、前記遅延ユニットに第一電圧を出力することを停止し、前記遅延ユニットは、前記第二調整ユニットによって電気エネルギーを放出し、且つ第二所定時間を経過した後に第二信号を出力して前記負荷を停止し、前記第一調整ユニットは、第一所定時間を調整するために用いられ、第二調整ユニットは、第二所定時間を調整するために用いられ、前記第二所定時間は、第一所定時間の調整によって変化しない。
【０００５】
本発明に係る電子デバイスは、電源装置、負荷及び電源装置と負荷との間に接続される遅延回路を備え、前記電源装置は、電子デバイスがオン状態にある時に前記遅延回路に電圧を提供し、且つ電子デバイスがオフ状態にある時に前記遅延回路に電圧を提供することを停止するために用いられ、前記遅延回路は、電子デバイスがオン状態にある時に、前記電源装置からの出力電圧を第一電圧に転換する第一調整ユニットと、前記第一調整ユニットからの第一電圧を受信し、第一電圧に基づいて電気エネルギーを蓄積し、且つ第一所定時間を経過した後に第一信号を出力する遅延ユニットと、前記第一調整ユニットと前記遅延ユニットとの間に接続されるスイッチユニットと、第二調整ユニットと、を備える。電子デバイスがオン状態にある場合、前記スイッチユニットはオンになり、前記第一調整ユニットは、前記スイッチユニットを介して前記遅延ユニット及び前記第二調整ユニットに第一電圧を出力し、電子デバイスがオフ状態にある場合、前記スイッチユニットはオフになり、前記第一調整ユニットは、前記遅延ユニットに第一電圧を出力することを停止し、前記遅延ユニットは、前記第二調整ユニットによって電気エネルギーを放出し、且つ第二所定時間を経過した後に第二信号を出力し、前記負荷は、第一信号に応じて動作し、且つ第二信号に応じて動作することを停止し、前記第一調整ユニットは、第一所定時間を調整するために用いられ、第二調整ユニットは、第二所定時間を調整するために用いられ、前記第二所定時間は、第一所定時間の調整によって変化しない。
【発明の効果】
【０００６】
従来の技術と比べて、本発明の遅延回路及びそれを備える電子デバイスは、第一調整ユニットによって第一所定時間を調整し、第二調整ユニットによって第二所定時間を調整し、前記第二所定時間は、第一所定時間の調整によって変化しない。従って、充電時間及び放電時間を互いに独立して調整することができる。
【図面の簡単な説明】
【０００７】
【図１】本発明の実施形態に係る電子デバイスを示すブロック図である。
【図２】本発明の実施形態に係る電子デバイスの回路図である。
【発明を実施するための形態】
【０００８】
以下、図面を参照して、本発明の実施形態について説明する。
【０００９】
図１を参照すると、本発明の実施形態に係る電子デバイス１００は、電源装置１、遅延回路２及び負荷３を備える。本実施形態において、電子デバイス１００は、コンピュータであっても良い。
【００１０】
電源装置１は、電子デバイス１００がオン状態にある時に遅延回路２に電圧を提供し、且つ電子デバイス１００がオフ状態にある時に遅延回路２に電圧を提供することを停止するために用いられる。本実施形態において、電源装置１は、電子デバイス１００の内部電池である。他の実施形態において、電源装置１は、商用電源に接続されたアダプタであっても良い。
【００１１】
遅延回路２は、電源装置１と負荷３との間に接続され、負荷３に第一信号或いは第二信号を出力するために用いられる。また、遅延回路２は、第一調整ユニット２１、スイッチユニット２３、遅延ユニット２５及び第二調整ユニット２７を備える。
【００１２】
第一調整ユニット２１は、電源装置１とスイッチユニット２３との間に接続され、且つ電源装置１の出力電圧を第一電圧に転換するために用いられる。
【００１３】
スイッチユニット２３は、第一調整ユニット２１と遅延ユニット２５との間に接続され、且つ電子デバイス１００がオン状態にある時に、第一調整ユニット２１と遅延ユニット２５との接続をオンにし、且つ電子デバイス１００がオフ状態にある時に、第一調整ユニット２１と遅延ユニット２５との接続をオフにするために用いられる。
【００１４】
遅延ユニット２５は、スイッチユニット２３及び第二調整ユニット２７に接続され、且つ第一電圧を受信した時、電気エネルギーを蓄積し、且つ第一所定時間後に第一信号を出力し、第一電圧を受信しない時、第二調整ユニット２７によって電気エネルギーを放出し、且つ第二所定時間後に第二信号を出力するために用いられる。本実施形態において、第一信号は、ハイレベル信号であり、第二信号は、ローレベル信号である。第一所定時間は、遅延ユニット２５が電気エネルギーの蓄積を完了するのに必要な時間（即ち、電子デバイス１００をオンにするのに必要な時間）であり、第二所定時間は、遅延ユニット２５が電気エネルギーの放出を完了するのに必要な時間（即ち、電子デバイス１００をオフにするのに必要な時間）である。
【００１５】
第一調整ユニット２１は、第一所定時間をさらに調整するために用いられ、第二調整ユニット２７は、第二所定時間をさらに調整するために用いられる。また、第二所定時間は、第一所定時間の調整によって変化しない。
【００１６】
負荷３は、第一信号に応じて動作し、且つ第二信号に応じて動作を停止する。本実施形態において、負荷３は、電源管理チップである。
【００１７】
本発明の電子デバイス１００は、第一調整ユニット２１によって遅延ユニット２５の第一所定時間を調整し、第二調整ユニット２７によって遅延ユニット２５の第二所定時間を調整する。第一所定時間又は第二所定時間のいずれか１つを調整する時、他の所定時間は調整されない。即ち、第一所定時間及び第二所定時間は、独立して調整されることができる。
【００１８】
図２を参照すると、電源装置１は、電源端子Ｖ１を備える。第一調整ユニット２１は、第一抵抗Ｒ１及び第二抵抗Ｒ２を備える。第一抵抗Ｒ１及び第二抵抗Ｒ２は、電源端子Ｖ１とアースとの間に直列接続される。本実施形態において、第一抵抗Ｒ１及び第二抵抗Ｒ２の抵抗値は調整可能である。
【００１９】
スイッチユニット２３は、ダイオードＤ１を備える。ダイオードＤ１のアノードは、第一抵抗Ｒ１と第二抵抗Ｒ２との間に接続される。ダイオードＤ１のカソードは、遅延ユニット２５、第二調整ユニット２７及び負荷３に接続される。
【００２０】
遅延ユニット２５は、第一コンデンサＣ１及び第二コンデンサＣ２を備える。第一コンデンサＣ１及び第二コンデンサＣ２は、ダイオードＤ１のカソードとアースとの間に並列接続される。
【００２１】
第二調整ユニット２７は、第三抵抗Ｒ３を備える。第三抵抗Ｒ３の一端は、ダイオードＤ１のカソードに接続され、第三抵抗Ｒ３の他端は、接地される。本実施形態において、第三抵抗Ｒ３の抵抗値は、調整可能である。
【００２２】
電子デバイス１００がオンになると、ダイオードＤ１もオンになる。従って、電源端子Ｖ１は、第一抵抗Ｒ１及びダイオードＤ１を介して負荷３に電力を供給すると同時に、第一抵抗Ｒ１、第二抵抗Ｒ２及び第三抵抗Ｒ３を介して第一コンデンサＣ１及び第二コンデンサＣ２に充電する。第一所定時間ｔｃｈａｒｇｉｎｇ及び負荷３に供給される電圧Ｖｌｏａｄは、次の式１及び式２によってそれぞれ計算される。
【００２３】
【数１】
2013247679.tif 000003
【００２４】
【数２】
2013247679.tif 000004
【００２５】
電子デバイス１００がオフになると、ダイオードＤ１もオフになる。従って、電源端子Ｖ１は、第一抵抗Ｒ１及びダイオードＤ１を介して負荷３に電力を供給することを停止する。この時、第一コンデンサＣ１及び第二コンデンサＣ２は、第三抵抗Ｒ３によって放電される。第二所定時間ｔｄｉｓｃｈａｒｇｉｎｇは、次の式３によって計算される。
【００２６】
【数３】
2013247679.tif 000005
【００２７】
前記式１〜式３から分かるように、第一所定時間ｔｃｈａｒｇｉｎｇは、第一抵抗Ｒ１、第二抵抗Ｒ２及び第三抵抗Ｒ３の抵抗値に関連し、第二所定時間ｔｄｉｓｃｈａｒｇｉｎｇは、第三抵抗Ｒ３の抵抗値のみに関連する。第一所定時間ｔｃｈａｒｇｉｎｇを変更すると同時に、第二所定時間ｔｄｉｓｃｈａｒｇを変更せずに負荷電圧Ｖｌｏａｄを維持することができるために、第一抵抗Ｒ１及び第二抵抗Ｒ２の抵抗値を変更し、且つ第三抵抗Ｒ３の抵抗値を変更しなくても良い。また、第二所定時間ｔｄｉｓｃｈａｒｇｉｎｇを変更すると同時に、第一所定時間ｔｃｈａｒｇｉｎｇを変更せずに負荷電圧Ｖｌｏａｄを維持することができるために、第一抵抗Ｒ１、第二抵抗Ｒ２及び第三抵抗Ｒ３の抵抗値を変更しても良い。従って、第一所定時間及び第二所定時間は、互いに独立して調整することができる。
【符号の説明】
【００２８】
１００  電子デバイス
１  電源装置
２  遅延回路
３  負荷
２１  第一調整ユニット
２３  スイッチユニット
２５  遅延ユニット
２７  第二調整ユニット
Ｖ１  電源端子
Ｒ１  第一抵抗
Ｒ２  第二抵抗
Ｒ３  第三抵抗
Ｄ１  ダイオード
Ｃ１  第一コンデンサ
Ｃ２  第二コンデンサ
【図１】
2013247679.tif 000006
【図２】
2013247679.tif 000007